(57)【要約】      （修正有）【課題】製造時や出荷時において機械的な精度を調整する作業が不要であり、低コストで等倍度を調整する。【解決手段】原稿台のうち、原稿が載置される原稿載置領域以外であって、且つ、光源１９から光束が照射される領域に、副走査方向へ複数の基準模様の各々が一定の間隔を設けて描かれたパターン１１と、パターン１１に描かれた隣り合う基準模様を有する。原稿読み取り時、パターンの画像データで表された隣り合う基準模様間の副走査方向の間隔とが等しくなるように、隣り合う基準模様の副走査方向の間隔を表すライン数づつ区分されて表された画像エリアを副走査方向へ変倍するための画像変倍率を順次算出する変倍率算出手段１５を有する。画像エリア毎に記憶されている画像変倍率に従って副走査方向へ変倍させる。【選択図】図１
2010148061.tif 000002
【特許請求の範囲】
【請求項１】
副走査方向へ移動しながら原稿台へ光束を照射し、発生した反射光束を受光する走査部を有し、前記走査部により受光した前記反射光束から画像データを生成する画像データ生成手段と、
前記原稿台のうち、原稿が載置される原稿載置領域以外であって、且つ、前記光源から前記光束が照射される領域に、副走査方向へ複数の基準模様の各々が一定の間隔を設けて描かれたパターンと、
前記パターンに描かれた隣り合う基準模様の副走査方向の間隔と、前記パターンから前記画像データ生成手段により生成された前記パターンの画像データで表された前記隣り合う基準模様の副走査方向の間隔とが等しくなるように、前記パターンの画像データが、前記隣り合う基準模様の副走査方向の間隔を表すライン数づつ区分されて表された画像エリアを副走査方向へ変倍するための画像変倍率を算出する変倍率算出手段と、
前記画像エリア毎に前記画像変倍率を記憶する変倍率記憶手段と、
前記画像データの画像処理を行う画像処理手段と、
前記変倍率算出手段に対して、前記画像エリア毎に、前記パターンに描かれた隣り合う基準模様の副走査方向の間隔と、前記画像データで表された前記隣り合う基準模様の副走査方向の間隔とが等しくなる前記画像変倍率を順次算出させて前記変倍率記憶手段へ記憶させる画像変倍率設定機能と、
前記画像処理手段に対して、前記画像データ生成手段により生成された画像データを、前記画像エリア毎にその画像エリアに対応して前記変倍率記憶手段へ記憶されている前記画像変倍率に従って副走査方向へ変倍させる画像データ変倍機能と、を有する制御手段と、
を備えることを特徴とする画像読取装置。
【請求項２】
副走査方向へ移動しながら原稿台へ光束を照射し、発生した反射光束を受光する走査部を有し、前記走査部により受光した前記反射光束から画像データを生成する画像データ生成手段と、
前記原稿台のうち、原稿が載置される原稿載置領域以外であって、且つ、前記光源から前記光束が照射される領域に、副走査方向へ複数の基準模様の各々が一定の間隔を設けて描かれたパターンと、
前記走査部を、副走査方向へ移動させて前記原稿台を副走査方向へ走査させる移動手段と、
前記パターンに描かれた隣り合う基準模様の副走査方向の間隔と、前記パターンから前記画像データ生成手段により生成された前記パターンの画像データで表された前記隣り合う基準模様の副走査方向の間隔とが等しくなるように、前記原稿載置領域が、前記パターンに描かれた隣り合う基準模様の間隔づつ副走査方向へ区分されて表された原稿エリアを走査する走査速度を変倍するための走査速度変倍率を算出する変倍率算出手段と、
前記原稿エリア毎に前記走査速度変倍率を記憶する変倍率記憶手段と、
前記変倍率算出手段に対して、前記原稿エリア毎に、前記パターンに描かれた隣り合う基準模様の副走査方向の間隔と、前記画像データで表された前記隣り合う基準模様の副走査方向の間隔とが等しくなる前記走査速度変倍率を順次算出させて前記変倍率記憶手段へ記憶させる走査速度変倍率設定機能と、
前記移動手段が前記走査部を副走査方向へ移動させる際には、前記原稿エリア毎に、前記走査部の移動速度を、前記原稿エリア毎に対応して前記変倍率記憶手段へ記憶されている前記走査速度変倍率に従って変倍させる走査速度変倍機能と、を有する制御手段と、
を備えることを特徴とする画像読取装置。
【請求項３】
前記パターンが、前記基準画像として三角形の模様が副走査方向へ連続して描かれたものであり、
前記三角形の頂点が前記原稿台の主走査方向の一対の端部のうち、直近の端部の方向を向いていることを特徴とする請求項１又は請求項２に記載の画像読取装置。
【請求項４】
前記隣り合う基準模様の副走査方向の間隔が、隣り合う三角形の頂点の間隔であることを特徴とする請求項３に記載の画像読取装置。
【請求項５】
前記隣り合う基準模様の副走査方向の間隔が、隣り合う三角形が形成する谷の間隔であることを特徴とする請求項３に記載の画像読取装置。
【請求項６】
前記隣り合う基準模様の副走査方向の間隔が、隣り合う三角形が形成する谷と、その谷の直近にある三角形の頂点と、の間隔であることを特徴とする請求項３に記載の画像読取装置。
【請求項７】
副走査方向へ移動しながら原稿台へ光束を照射し、発生した反射光束を受光する走査部を有し、前記走査部により受光した前記反射光束から画像データを生成する画像データ生成手段と、
前記原稿台のうち、原稿が載置される原稿載置領域以外であって、且つ、前記光源から前記光束が照射される領域であって、前記原稿載置領域を挟んで主走査方向に離間した一対の領域に、副走査方向へ複数の基準模様の各々が描かれた一対のパターンと、
前記一対のパターンに描かれた主走査方向に対向する２つの基準模様の主走査方向の間隔と、前記画像データ生成手段により生成された前記一対のパターンの画像データで表された前記対向する２つの基準模様の主走査方向の間隔とが等しくなるように、前記一対のパターンの画像データで表された前記対向する２つの基準模様で挟まれたラインを主走査方向へ変倍するための画像変倍率を算出する変倍率算出手段と、
前記ライン毎に前記画像変倍率を記憶する変倍率記憶手段と、
前記画像データの画像処理を行う画像処理手段と、
前記変倍率算出手段に対して、前記ライン毎に、前記一対のパターンに描かれた主走査方向に対向する２つの基準模様の主走査方向の間隔と、前記画像データで表された前記対向する２つの基準模様の主走査方向の間隔とが等しくなる前記画像変倍率を算出させて前記変倍率算出手段へ記憶させる画像変倍率設定機能と、
前記画像処理手段に対して、前記画像データ生成手段により生成された画像データを、前記ライン毎にそのラインに対応して前記変倍率記憶手段へ記憶されている前記画像変倍率に従って主走査方向へ変倍させる画像データ変倍機能と、を有する制御手段と、
を備えることを特徴とする画像読取装置。
【請求項８】
前記一対のパターンが、前記基準画像として三角形の模様が副走査方向へ連続して描かれたものであり、
前記三角形の頂点が前記原稿台の主走査方向の一対の端部のうち直近の端部の方向を向いていることを特徴とする請求項７に記載の画像読取装置。
【請求項９】
前記一対のパターンに描かれた主走査方向に対向する２つの基準模様の主走査方向の間隔が、副走査方向に隣り合う三角形が形成する谷と、当該谷と主走査方向に対向する谷と、の間隔であることを特徴とする請求項８に記載の画像読取装置。
【請求項１０】
前記基準模様が、主走査方向を向いた直線状の模様であることを特徴とする請求項１乃至請求項９のいずれか一項に記載の画像読取装置。
【請求項１１】
副走査方向へ移動しながら原稿台へ光束を照射し、発生した反射光束を受光する走査部を有し、前記走査部により受光した前記反射光束から画像データを生成する画像データ生成手段が、原稿台のうち、原稿が載置される原稿載置領域以外であって、且つ、前記光源から前記光束が照射される領域に、副走査方向へ複数の基準模様の各々が一定の間隔を設けて描かれたパターンの画像データを生成するパターン読取ステップと、
変倍率算出手段が、前記パターンの画像データが、隣り合う基準模様の副走査方向の間隔を表すライン数づつ区分されて表された画像エリア毎に、前記パターンに描かれた前記隣り合う基準模様の副走査方向の間隔と、前記パターンの画像データで表された前記隣り合う基準模様の副走査方向の間隔とが等しくなる画像変倍率を順次算出する変倍率記憶ステップと、
変倍率記憶手段が、前記画像エリア毎に順次算出された前記画像変倍率を順次記憶する変倍率記憶ステップと、
制御手段が、画像処理手段に対して、前記画像データ生成手段により生成された画像データを、前記画像エリア毎にその画像エリアに対応して前記変倍率記憶手段へ記憶されている前記画像変倍率に従って副走査方向へ変倍させる等倍度調整ステップと、
を備えることを特徴とする等倍度調整方法。
【請求項１２】
副走査方向へ移動しながら原稿台へ光束を照射し、発生した反射光束を受光する走査部を有し、前記走査部により受光した前記反射光束から画像データを生成する画像データ生成手段が、原稿台のうち、原稿が載置される原稿載置領域以外であって、且つ、前記光源から前記光束が照射される領域に、副走査方向へ複数の基準模様の各々が一定の間隔を設けて描かれたパターンの画像データを生成するパターン読取ステップと、
変倍率算出手段が、前記パターンに描かれた隣り合う基準模様の間隔づつ副走査方向へ区分されて表された原稿エリア毎に、前記パターンに描かれた隣り合う基準模様の副走査方向の間隔と、前記パターンの画像データで表された前記隣り合う基準模様の副走査方向の間隔とが等しくなる走査速度変倍率を算出する変倍率算出ステップと、
変倍率記憶手段が、前記原稿エリア毎に順次算出された前記走査速度変倍率を順次記憶する変倍率記憶ステップと、
制御手段が、移動手段が前記走査部を副走査方向へ移動させる際には、前記原稿エリア毎に、前記走査部の移動速度を、前記原稿エリア毎に対応して前記変倍率記憶手段へ記憶されている前記走査速度変倍率に従って変倍させる等倍度調整ステップと、
を備えることを特徴とする等倍度調整方法。
【請求項１３】
副走査方向へ移動しながら原稿台へ光束を照射し、発生した反射光束を受光する走査部を有し、前記走査部により受光した前記反射光束から画像データを生成する画像データ生成手段が、前記原稿台のうち、原稿が載置される原稿載置領域以外であって、且つ、前記光源から前記光束が照射される領域であって、前記原稿載置領域を挟んで主走査方向に離間した一対の領域に、副走査方向へ複数の基準模様の各々が描かれた一対のパターンの画像データを生成するパターン読取ステップと、
変倍率算出手段が、前記画像データで表された対向する２つの基準模様で挟まれたライン毎に、前記一対のパターンに描かれた主走査方向に対向する２つの基準模様の主走査方向の間隔と、前記一対のパターンの画像データで表された前記対向する２つの基準模様の主走査方向の間隔とが等しくなる画像変倍率を順次算出する変倍率算出ステップと、
変倍率記憶手段が、前記ライン毎に順次算出された前記画像変倍率を順次記憶する変倍率記憶ステップと、
制御手段が、画像処理手段に対して、前記画像データ生成手段により生成された画像データを、前記ライン毎にそのラインに対応して前記変倍率記憶手段へ記憶されている前記画像変倍率に従って主走査方向へ変倍させる等倍度調整ステップと、
を備えることを特徴とする等倍度調整方法。
【発明の詳細な説明】
【技術分野】
【０００１】
本発明は、原稿台に載置された原稿を走査することで、原稿の画像データを読み取る画像読取装置及び、等倍度調整方法に関するものである。
【背景技術】
【０００２】
ファクシミリ装置、イメージスキャナ、コピー機などの画像読取装置は、原稿台に載置された原稿を走査することで、原稿の画像データを読み取るよう構成されている。
【０００３】
この種の画像読取装置は、特許文献１の図１２に例示されている。特許文献１の図１２に示す画像読取装置において、原稿台ガラス（以下、原稿台という）１０１上に載置された原稿が、光源１００から照射された光束を反射して反射光束する。このような反射光束は反射ミラー１０２，１０３，１０４を介して結像レンズ１０５に到達する。そして、結像レンズ１０５に到達した反射光束がＣＣＤ１０６の結像面上に結像される。このような処理により、原稿１ライン分の画像データが取得される。
【０００４】
また、光源１００、反射ミラー１０２，１０３，１０４、結像レンズ１０５、及び、ＣＣＤ１０６は、光学ユニット２０に組み込まれている。このような光学ユニット２０は、２本の走査レール１０９，１１０に載せられている。２本の走査レール１０９，１１０は、原稿台１０１の原稿載置面に対して平行、且つ、原稿の副走査方向へ配設されている。このような２本の走査レール１０９，１１０上を、光学ユニット２０が、図１２に図示されていない駆動装置を駆動源として移動する。尚、駆動装置にはモータが組み込まれている。
【０００５】
このような画像読取装置において、このような光学ユニット２０が、２本の走査レール１０９，１１０上を移動することにより、前記処理を繰り返して、原稿１ページ分の画像データを取得する。
【特許文献１】特開平９−２３３１８号公報
【発明の開示】
【発明が解決しようとする課題】
【０００６】
ところで、この種の画像読取装置では、光学ユニット２０、２本の走査レール１０９，１１０、駆動装置などを含む読取走査系における機械的な精度により、画像データの劣化を招くことがある。以下に、読取走査系における機械的な精度により、画像データの劣化を招く現象が例示されて説明される。
【０００７】
［副走査方向の等倍度の低下］
光学ユニット２０は、２本の走査レール１０９，１１０の上を等速で移動することが前提とされている。しかしながら、２本の走査レール１０９，１１０が凸状に盛り上がったり凹状に窪んだりする変形が生じること、モータの回転速度が一定でないこと、等を原因として、光学ユニット２０の移動速度が部分的に変化することがある。
【０００８】
光学ユニット２０が２本の走査レール１０９，１１０上を移動している際に、光学ユニット２０の移動速度が変化する期間が生じると、その期間中に取得した画像データは、原稿と比較して、副走査方向の距離に誤差が生じる。すなわち、原稿と比較した副走査方向の等倍度が低下する。
【０００９】
［主走査方向の等倍度の低下］
光学ユニット２０において、反射ミラー１０２，１０３，１０４の各々のミラー面は均一面であることが前提とされている。しかしながら、反射ミラー１０２，１０３，１０４のいずれかのミラー面において湾曲が生じることがある。反射ミラー１０２，１０３，１０４のいずれかにおいて、このような湾曲が生じている部分があると、湾曲部分において反射光束が散乱する。その結果、散乱した反射光束を含む反射光束から取得した原稿１ライン分の画像データは、原稿と比較して、主走査方向の距離に誤差が生じる。すなわち、原稿と比較した主走査方向の等倍度が低下する。
【００１０】
［従来の対処方法］
従来より、このような画像データの劣化が生じることを防止するために、光学ユニット２０の機械的精度が、画像読取装置の製造時や出荷時において、調整されている。例えば、２本の走査レール１０９，１１０の変形を修復すること、回転速度が一定な高性能のモータを組み込むこと、反射ミラー１０２，１０３，１０４の各々のミラー面の湾曲を修正して均一面とすること、などの作業がなされている。
【００１１】
しかしながら、このような作業には、人件費や高額な部品が要求されること、等により、画像読取装置の製造コストが大きくなる。
【００１２】
本発明は、上記の問題を解決するためになされたもので、製造時や出荷時において機械的な精度を調整する作業が不要であり、低コストで、等倍度を調整することができる画像読取装置、及び、等倍度調整方法を提供することを目的とするものである。
【課題を解決するための手段】
【００１３】
本発明の一局面に係る画像読取装置は、副走査方向へ移動しながら原稿台へ光束を照射し、発生した反射光束を受光する走査部を有し、前記走査部により受光した前記反射光束から画像データを生成する画像データ生成手段と、前記原稿台のうち、原稿が載置される原稿載置領域以外であって、且つ、前記光源から前記光束が照射される領域に、副走査方向へ複数の基準模様の各々が一定の間隔を設けて描かれたパターンと、前記パターンに描かれた隣り合う基準模様の副走査方向の間隔と、前記パターンから画像データ生成手段により生成された前記パターンの画像データで表された前記隣り合う基準模様の副走査方向の間隔とが等しくなるように、前記パターンの画像データが前記隣り合う基準模様の副走査方向の間隔を表すライン数づつ区分されて表された画像エリアを副走査方向へ変倍するための画像変倍率を算出する変倍率算出手段と、前記画像エリア毎に前記画像変倍率を記憶する変倍率記憶手段と、前記画像データの画像処理を行う画像処理手段と、前記変倍率算出手段に対して、前記画像エリア毎に、前記パターンに描かれた隣り合う基準模様の副走査方向の間隔と、前記画像データで表された前記隣り合う基準模様の副走査方向の間隔とが等しくなる前記画像変倍率を順次算出させて前記変倍率記憶手段へ記憶させる画像変倍率設定機能と、前記画像処理手段に対して、前記画像データ生成手段により生成された画像データを、前記画像エリア毎にその画像エリアに対応して前記変倍率記憶手段へ記憶されている前記画像変倍率に従って副走査方向へ変倍させる画像データ変倍機能と、を有する制御手段と、を備えることを特徴とする（請求項１）。
【００１４】
この構成によれば、画像データ生成手段が、複数の基準模様の各々が一定の間隔を設けて描かれたパターンを読み取り、パターンの画像データを生成する。このようなパターンの画像データは、制御手段が副走査方向の画像変倍率を設定する際に使用される。
【００１５】
つまり、変倍率算出手段に対して、パターンの画像データが、隣り合う基準模様の副走査方向の間隔を表すライン数づつ区分されて表された画像エリア毎に、パターンに描かれた隣り合う基準模様の副走査方向の間隔と、パターンの画像データで表された隣り合う基準模様の副走査方向の間隔とが等しくなる画像変倍率を順次算出させ、変倍率記憶手段に記憶させる。
【００１６】
このようにして設定された画像エリア毎の画像変倍率は、制御手段が、画像データ生成手段により生成された画像データを、画像処理手段に対して副走査方向へ変倍させる際に使用される。つまり、画像処理手段に対して、画像データ生成手段により生成された画像データを、画像エリア毎にその画像エリアに対応して変倍率記憶手段へ記憶されている画像変倍率に従って副走査方向へ変倍させる。
【００１７】
このように、画像データで表されたパターンと、原稿台に描かれたパターンとの間で、副走査方向の間隔が等しくなるように設定された画像変倍率に従って、画像データ生成手段により生成された画像データが変倍される。そのため、画像読取装置は、低コストで、副走査方向の等倍度を調整することができる。
【００１８】
また、本発明の他の局面に係る画像読取装置は、副走査方向へ移動しながら原稿台へ光束を照射し、発生した反射光束を受光する走査部を有し、前記走査部により受光した前記反射光束から画像データを生成する画像データ生成手段と、前記原稿台のうち、原稿が載置される原稿載置領域以外であって、且つ、前記光源から前記光束が照射される領域に、副走査方向へ複数の基準模様の各々が一定の間隔を設けて描かれたパターンと、前記走査部を、副走査方向へ移動させて前記原稿台を副走査方向へ走査させる移動手段と、前記パターンに描かれた隣り合う基準模様の副走査方向の間隔と、前記画像データ生成手段により生成された前記パターンの画像データで表された前記隣り合う基準模様の副走査方向の間隔とが等しくなるように、前記原稿載置領域が、前記パターンに描かれた隣り合う基準模様の間隔づつ副走査方向へ区分されて表された原稿エリアを走査する走査速度を変倍するための走査速度変倍率を算出する変倍率算出手段と、前記原稿エリア毎に前記走査速度変倍率を記憶する変倍率記憶手段と、前記変倍率算出手段に対して、前記原稿エリア毎に、前記パターンに描かれた隣り合う基準模様の副走査方向の間隔と、前記画像データで表された前記隣り合う基準模様の副走査方向の間隔とが等しくなる前記走査速度変倍率を順次算出させて前記変倍率記憶手段へ記憶させる走査速度変倍率設定機能と、前記移動手段が前記走査部を副走査方向へ移動させる際には、前記原稿エリア毎に、前記走査部の移動速度を、前記原稿エリア毎に対応して前記変倍率記憶手段へ記憶されている前記走査速度変倍率に従って変倍させる走査速度変倍機能と、を有する制御手段と、を備えることを特徴とする（請求項２）。
【００１９】
この構成によれば、画像データ生成手段が、複数の基準模様の各々が一定の間隔を設けて描かれたパターンを読み取り、パターンの画像データを生成する。このようなパターンの画像データは、制御手段が走査速度変倍率を設定する際に使用される。
【００２０】
つまり、変倍率算出手段に対して、原稿載置領域が、パターンに描かれた隣り合う基準模様の間隔づつ副走査方向へ区分されて表された原稿エリア毎に、パターンに描かれた隣り合う基準模様の副走査方向の間隔と、パターンの画像データで表された隣り合う基準模様の副走査方向の間隔とが等しくなる走査速度変倍率を順次算出させ、変倍率記憶手段に記憶させる。
【００２１】
このようにして設定された原稿エリア毎の走査速度変倍率は、移動手段が走査部を副走査方向へ移動させる際に使用される。つまり、制御手段が、原稿エリア毎に、走査部の移動速度を、原稿エリア毎に対応して変倍率記憶手段へ記憶されている走査速度変倍率に従って変倍させる。
【００２２】
このように、画像データで表されたパターンと、原稿台に描かれたパターンとの間で、副走査方向の間隔が等しくなるように設定された走査速度変倍率に従って、走査部の移動速度が変倍される。そのため、画像読取装置は、低コストで、副走査方向の等倍度を調整することができる。
【００２３】
上記構成において、前記パターンが、前記基準画像として三角形の模様が副走査方向へ連続して描かれたものであり、前記三角形の頂点が前記原稿台の主走査方向の一対の端部のうち、直近の端部の方向を向いている構成とすることができる（請求項３）。特に、前記隣り合う基準模様の副走査方向の間隔が、隣り合う三角形の頂点の間隔である構成とすることができる（請求項４）。また、前記隣り合う基準模様の副走査方向の間隔が、隣り合う三角形が形成する谷の間隔である構成とすることができる（請求項５）。これら各々により、隣り合う基準模様の副走査方向の間隔の判別がきわめて容易となる。
【００２４】
上記構成において、前記隣り合う基準模様の副走査方向の間隔が、隣り合う三角形が形成する谷と、その谷の直近にある三角形の頂点と、の間隔である構成とすることができる（請求項６）。これにより、画像変倍率が算出される画像エリア、及び、走査速度変倍率が算出される原稿エリアの数が増加する。そのため、原稿と比較した副走査方向の等倍度を緻密に調節することができる。
【００２５】
また、本発明のさらに他の局面に係る画像読取装置は、副走査方向へ移動しながら原稿台へ光束を照射し、発生した反射光束を受光する走査部を有し、前記走査部により受光した前記反射光束から画像データを生成する画像データ生成手段と、前記原稿台のうち、原稿が載置される原稿載置領域以外であって、且つ、前記光源から前記光束が照射される領域であって、前記原稿載置領域を挟んで主走査方向に離間した一対の領域に、副走査方向へ複数の基準模様の各々が描かれた一対のパターンと、前記一対のパターンに描かれた主走査方向に対向する２つの基準模様の主走査方向の間隔と、前記画像データ生成手段により生成された前記一対のパターンの画像データで表された前記対向する２つの基準模様の主走査方向の間隔とが等しくなるように、前記一対のパターンの画像データで表された前記対向する２つの基準模様で挟まれたラインを主走査方向へ変倍するための画像変倍率を算出する変倍率算出手段と、前記ライン毎に前記画像変倍率を記憶する変倍率記憶手段と、前記画像データの画像処理を行う画像処理手段と、前記変倍率算出手段に対して、前記ライン毎に、前記一対のパターンに描かれた主走査方向に対向する２つの基準模様の主走査方向の間隔と、前記画像データで表された前記対向する２つの基準模様の主走査方向の間隔とが等しくなる前記画像変倍率を算出させて前記変倍率算出手段へ記憶させる画像変倍率設定機能と、前記画像処理手段に対して、前記画像データ生成手段により生成された画像データを、前記ライン毎にそのラインに対応して前記変倍率記憶手段へ記憶されている前記画像変倍率に従って主走査方向へ変倍させる画像データ変倍機能と、を有する制御手段と、を備えることを特徴とする（請求項７）。
【００２６】
この構成によれば、画像データ生成手段が、複数の基準模様の各々が描かれた一対のパターンを読み取り、一対のパターンの画像データを生成する。このような一対のパターンの画像データは、制御手段が主走査方向の画像変倍率を設定する際に使用される。
【００２７】
つまり、変倍率算出手段に対して、一対のパターンの画像データで表された対向する２つの基準模様で挟まれたライン毎に、一対のパターンに描かれた主走査方向に対向する２つの基準模様の主走査方向の間隔と、一対のパターンの画像データで表された対向する２つの基準模様の主走査方向の間隔とが等しくなる画像変倍率を順次算出させ、変倍率記憶手段へ記憶させる。
【００２８】
このようにして設定されたライン毎の画像変倍率は、制御手段が、画像データ生成手段により生成された画像データを、画像処理手段に対して主走査方向へ変倍させる際に使用される。つまり、画像処理手段に対して、画像データ生成手段により生成された画像データを、ライン毎にそのラインに対応して変倍率記憶手段へ記憶されている画像変倍率に従って主走査方向へ変倍させる。
【００２９】
このように、画像データで表されたパターンと、原稿台に描かれたパターンとの間で、主走査方向の間隔が等しくなるように設定された画像変倍率に従って、画像データ生成手段により生成された画像データが変倍される。そのため、画像読取装置は、低コストで、主走査方向の等倍度を調整することができる。
【００３０】
上記構成において、前記一対のパターンが、前記基準画像として三角形の模様が副走査方向へ連続して描かれたものであり、前記三角形の頂点が前記原稿台の主走査方向の一対の端部のうち直近の端部の方向を向いている構成とすることができる（請求項８）。特に、前記一対のパターンに描かれた主走査方向に対向する２つの基準模様の主走査方向の間隔が、副走査方向に隣り合う三角形が形成する谷と、当該谷と主走査方向に対向する谷と、の間隔である構成とすることができる（請求項９）。これら各々により、対向する２つの基準模様の主走査方向の間隔の判別がきわめて容易となる。
【００３１】
上記構成において、前記基準模様が、主走査方向を向いた直線状の模様である構成とすることができる（請求項１０）。これによっても、隣り合う基準模様の副走査方向の間隔の判別、及び、対向する２つの基準模様の主走査方向の間隔の判別が容易となる。
【００３２】
また、本発明のさらに他の局面に係る等倍度調整方法は、副走査方向へ移動しながら原稿台へ光束を照射し、発生した反射光束を受光する走査部を有し、前記走査部により受光した前記反射光束から画像データを生成する画像データ生成手段が、原稿台のうち、原稿が載置される原稿載置領域以外であって、且つ、前記光源から前記光束が照射される領域に、副走査方向へ複数の基準模様の各々が一定の間隔を設けて描かれたパターンの画像データを生成するパターン読取ステップと、変倍率算出手段が、前記パターンの画像データが、隣り合う基準模様の副走査方向の間隔を表すライン数づつ区分されて表された画像エリア毎に、前記パターンに描かれた前記隣り合う基準模様の副走査方向の間隔と、前記パターンの画像データで表された前記隣り合う基準模様の副走査方向の間隔とが等しくなる画像変倍率を順次算出する変倍率記憶ステップと、変倍率記憶手段が、前記画像エリア毎に順次算出された前記画像変倍率を順次記憶する変倍率記憶ステップと、制御手段が、画像処理手段に対して、前記画像データ生成手段により生成された画像データを、前記画像エリア毎にその画像エリアに対応して前記変倍率記憶手段へ記憶されている前記画像変倍率に従って副走査方向へ変倍させる等倍度調整ステップと、を備えることを特徴とする（請求項１１）。
【００３３】
この方法は、請求項１に係る画像読取装置に対応する方法である。そのため、画像データで表されたパターンと、原稿台に描かれたパターンとの間で、副走査方向の間隔が等しくなるように設定された画像変倍率に従って、画像データ生成手段により生成された画像データが変倍される。そのため、画像読取装置は、低コストで、副走査方向の等倍度を調整することができる。
【００３４】
また、本発明のさらに他の局面に係る等倍度調整方法は、副走査方向へ移動しながら原稿台へ光束を照射し、発生した反射光束を受光する走査部を有し、前記走査部により受光した前記反射光束から画像データを生成する画像データ生成手段が、原稿台のうち、原稿が載置される原稿載置領域以外であって、且つ、前記光源から前記光束が照射される領域に、副走査方向へ複数の基準模様の各々が一定の間隔を設けて描かれたパターンの画像データを生成するパターン読取ステップと、変倍率算出手段が、前記パターンに描かれた隣り合う基準模様の間隔づつ副走査方向へ区分されて表された原稿エリア毎に、前記パターンに描かれた隣り合う基準模様の副走査方向の間隔と、前記パターンの画像データで表された前記隣り合う基準模様の副走査方向の間隔とが等しくなる走査速度変倍率を算出する変倍率算出ステップと、変倍率記憶手段が、前記原稿エリア毎に順次算出された前記走査速度変倍率を順次記憶する変倍率記憶ステップと、制御手段が、移動手段が前記走査部を副走査方向へ移動させる際には、前記原稿エリア毎に、前記走査部の移動速度を、前記原稿エリア毎に対応して前記変倍率記憶手段へ記憶されている前記走査速度変倍率に従って変倍させる等倍度調整ステップと、を備えることを特徴とする（請求項１２）。
【００３５】
この方法は、請求項２に係る画像読取装置に対応する方法である。そのため、画像データで表されたパターンと、原稿台に描かれたパターンとの間で、副走査方向の間隔が等しくなるように設定された走査速度変倍率に従って、走査部の移動速度が変倍される。そのため、画像読取装置は、低コストで、副走査方向の等倍度を調整することができる。
【００３６】
また、本発明のさらに他の局面に係る等倍度調整方法は、副走査方向へ移動しながら原稿台へ光束を照射し、発生した反射光束を受光する走査部を有し、前記走査部により受光した前記反射光束から画像データを生成する画像データ生成手段が、前記原稿台のうち、原稿が載置される原稿載置領域以外であって、且つ、前記光源から前記光束が照射される領域であって、前記原稿載置領域を挟んで主走査方向に離間した一対の領域に、副走査方向へ複数の基準模様の各々が描かれた一対のパターンの画像データを生成するパターン読取ステップと、変倍率算出手段が、前記画像データで表された対向する２つの基準模様で挟まれたライン毎に、前記一対のパターンに描かれた主走査方向に対向する２つの基準模様の主走査方向の間隔と、前記一対のパターンの画像データで表された前記対向する２つの基準模様の主走査方向の間隔とが等しくなる画像変倍率を順次算出する変倍率算出ステップと、変倍率記憶手段が、前記ライン毎に順次算出された前記画像変倍率を順次記憶する変倍率記憶ステップと、制御手段が、画像処理手段に対して、前記画像データ生成手段により生成された画像データを、前記ライン毎にそのラインに対応して前記変倍率記憶手段へ記憶されている前記画像変倍率に従って主走査方向へ変倍させる等倍度調整ステップと、を備えることを特徴とする（請求項１３）。
【００３７】
この方法は、請求項７に係る画像読取装置に対応する方法である。そのため、画像データで表されたパターンと、原稿台に描かれたパターンとの間で、主走査方向の間隔が等しくなるように設定された画像変倍率に従って、画像データ生成手段により生成された画像データが変倍される。そのため、画像読取装置は、低コストで、主走査方向の等倍度を調整することができる。
【発明の効果】
【００３８】
本発明によれば、ミラー面の角度調整など、機械的な精度を調整しなくても、制御により、主走査方向又は副走査方向の等倍度を調整することができる。そのため、低コストで、主走査方向又は副走査方向の等倍度を調整することができる。
【発明を実施するための最良の形態】
【００３９】
以下、本発明の一実施形態に係る画像読取装置について説明する。図１は、本発明の一実施形態に係る画像読取装置の機能構成の一例を示す図である。
【００４０】
図１に示す画像読取装置１は、制御部（制御手段）１０、パターン１１、ＣＣＤ（電荷結合素子）１２、ページメモリ１３，画像処理部（画像処理手段）１４、変倍率算出部（変倍率算出手段）１５、変倍率記憶部（変倍率記憶手段）１６、外部Ｉ／Ｆ（インタフェース）１７、モータ（移動手段）１８、及び、光源１９、を備える。
【００４１】
この画像読取装置１において、制御部１０は、ＣＰＵ（Ｃｅｎｔｒａｌ  Ｐｒｏｃｅｓｓｉｎｇ  Ｕｎｉｔ）等を備え、コントロールバス（例えば、ＣＰＵバス）及びデータバスを通じて制御信号及びデータの転送を行うことにより、画像読取装置１を制御する。特に、制御部１０は、画像変倍率設定機能、画像データ変倍機能、走査速度変倍率設定機能、及び、走査速度変倍機能、を備える。尚、これら各々の機能は後述される。
【００４２】
パターン１１は、図３及び図４に示す原稿台２０において、原稿台２０のうち、原稿が載置される原稿載置領域２０Ｂ以外であって、且つ、光源１９から光束が照射される領域、つまり、原稿台２０の主走査方向（図３及び図４においてＸ軸方向）の一対の縁側２０Ｃ，２０Ｃのうち一方に、副走査方向（図３及び図４においてＹ軸方向）へ複数の基準模様１１Ａの各々が一定の間隔Ｔ１を設けて描かれたものである。
【００４３】
ＣＣＤ１２は、原稿台２０に対して光源１９から光束を照射して発生した反射光束を受光して画像データを生成する。ページメモリ１３は、ＣＣＤ１２により生成された１ページ分の画像データを記憶する。このＣＣＤ１２、走査部５３（後述）、ミラーユニット５４（後述）、結像レンズ５５（後述）で、画像データ生成手段が構成される。
【００４４】
画像処理部１４は、ページメモリ１３に記憶された１ページ分の画像データに対し、シェーディング、マスキング処理、ガンマ補正、エッジ強調、スムーシング、色変換などの画像処理を行う他、後述するように、画像データを副走査方向（図３及び図４においてＹ軸方向）又は主走査方向（図３及び図４においてＸ軸方向）へ変倍する。
【００４５】
変倍率算出部１５は、画像処理された画像データ、厳密には、画像処理され、且つ、パターン１１の画像データを含む画像データに基づいて画像変倍率を算出する。尚、変倍率算出部１５による算出処理は後述される。変倍率記憶部１６は、変倍率算出部１５により算出された画像変倍率を記憶する。尚、変倍率記憶部１６による記憶処理は後述される。
【００４６】
外部Ｉ／Ｆ１７は、画像処理された画像データを伝送ラインや通信ネットワークを通じて外部装置へ出力する。モータ１８は、ＣＣＤ１２を副走査方向へ移動させる。光源１９は、原稿台へ光束を照射して、その反射光束をＣＣＤ１２に受光させて画像データを生成させる。
【００４７】
図２は、本発明の一実施形態に係る画像読取装置を組み込んだ複写機の機械的構成を示す縦断面図である。この複写機３１は、大略的に、本体部３２と、本体部３２の上方側に配設されるスキャナ部３３（画像読取装置）と、そのスキャナ部３３の上方側に配設されるＡＤＦ３４とを備えて構成される。
【００４８】
本体部３２では、１または複数（図２では３個）のトレイ４１，４２，４３や手差しトレイ４４に装填された記録紙４１ａ，４２ａ，４３ａ，４４ａの何れかが取込みローラ４１ｂ，４２ｂ，４３ｂ，４４ｂで１枚ずつ取出され、レジストローラ４５，４６にてタイミング調整が行われた後、画像形成部４７に搬送される。画像形成部４７は、感光体ドラム４７ａの周囲に、図示しない帯電器、レーザ書込みユニット、現像器、転写ユニット４７ｂおよび図示しないクリーニングユニット等が配置され、記録紙に電子写真方式で画像形成を行う。こうして記録紙に形成されたトナー像は、定着部４８にて定着され、排出ローラ４９，５０から排紙トレイ５１上に排出される。
【００４９】
前記レーザ書込みユニットに与えられる画像データは、スキャナ部３３にて読取られる。スキャナ部３３は、ガラス板等の板状の透明板からなる原稿台２０の下部に、原稿台２０を介して原稿に照明光を照射し、その反射光を受光する走査部５３と、走査部５３で得られた原稿画像を反射するミラーユニット５４と、ミラーユニット５４からの原稿画像を集光する結像レンズ５５と、結像レンズ５５で結像された原稿画像を光電変換するＣＣＤ１２とを備えて構成される。ここに、本実施形態において、ＣＣＤ１２、走査部５３、ミラーユニット５４、及び、結像レンズ５５で、画像データ生成手段が構成されている。
【００５０】
走査部５３は、例えば図略のステッピングモータによって、副走査方向に駆動されるようになっている。そして、走査部５３が速度Ｖで、ミラーユニット５４が速度Ｖ／２で、図２の左右方向、すなわち副走査方向に変位することで、原稿台２０に載置されたブック物や１枚物の原稿画像が、常に等しい光路長でＣＣＤ１２に結像される。
【００５１】
一方、シート原稿を順次取り込んでゆくＡＤＦ３４では、原稿トレイ６１に積層された原稿６２は、取込みローラ６３によって１枚ずつ取出され、湾曲搬送路６４へと供給される。そして湾曲搬送路６４に設けられた搬送ローラ６５，６６；６７，６８によって、主走査方向に延びるガラス板等の板状の透明板からなる読出窓７２へと搬送され、読出窓７２に走査部５３が臨んだ状態で、順次原稿画像が読取られた後、排出ローラ６９，７０によって排出トレイ７１上へと排出される。
【００５２】
走査部５３は、冷陰極管５３１（光源）と、冷陰極管５３１から放射された光を原稿台２０、及び読出窓７２方向に照射する反射板５３２と、原稿から原稿台２０や読出窓７２を透過して得られた反射光をミラーユニット５４へ反射するミラー５３３とを備えて構成されている。また、冷陰極管５３１、反射板５３２、ミラー５３３、ミラーユニット５４、結像レンズ５５、及びＣＣＤ１２は、主走査方向に原稿載置台５２、及び読出窓７２の幅以上に延設されている。
【００５３】
図３は、スキャナ部３３を上面から見た外観の一例を示す斜視図である。図３に示すように、スキャナ部３３の上面には、原稿台２０、及び読出窓７２が配設されている。そして、原稿台２０と読出窓７２との間には、原稿ストッパ７５が設けられている。また、原稿台２０における原稿ストッパ７５と隣り合う一辺には、原稿ストッパ７６が設けられている。そして、原稿ストッパ７５，７６により、原稿サイズの指標を参照して、原稿の位置合せが行われるようになっている。この場合、原稿ストッパ７５の内側のエッジが、副走査方向における原稿の端の位置を示している。
【００５４】
このようなスキャナ部３３において、原稿台２０のうち、原稿が載置される原稿載置領域２０Ｂを挟んだ一対の縁側２０Ｃ、２０Ｃの一方には、複数の単位模様１１Ａの各々が副走査方向へ一定の間隔を設けて描かれたパターン１１が描かれている。以下、パターン１１が詳述される。
【００５５】
図４は、原稿台２０の構成の一例を示す図である。図４において、原稿台２０の裏側には、先述したように、副走査方向（図４においてＹ軸方向）へ複数の基準模様１１Ａの各々が一定の間隔Ｔ１を設けて描かれたパターン１１が描かれている。
【００５６】
このようなパターン１１において、複数の基準模様１１Ａの各々として、複数の三角形の模様の各々が、互いに点的に接した状態で、副走査方向（図４においてＹ軸方向）へ連続して描かれている。また、複数の三角形の模様の各々の頂点Ｐが、原稿台２０の主走査方向（図４においてＸ軸方向）の一対の端部２０Ａ，２０Ａのうち、直近の端部２０Ａの方向を向いている。また、隣り合う三角形の模様が形成する谷Ｖと、隣接する谷Ｖとの間の間隔Ｔ１が、前記「一定の間隔Ｔ１」とされている。
【００５７】
このようなパターン１１は、原稿が載置される原稿載置領域２０Ｂ以外であって、且つ、光源１９から光束が照射される領域、つまり、原稿台２０のうち、原稿載置領域２０Ｂより縁側に存在する一対の縁側２０Ｃ，２０Ｃのうちいずれか一方に存在する。
【００５８】
このような画像読取装置１において、副走査方向の等倍度の調整処理が、パターン１１の画像データを含む画像データを用いて行われる。このような画像データは、ＣＣＤ１２により読み取られ画像処理がされたものである。以下に示す副走査方向の等倍度の調整処理は、制御部１０による制御の下で行われる。
【００５９】
［副走査方向の等倍度の調整処理］
パターン１１の画像データを含む画像データは、変倍率算出部１５へ入力される。変倍率算出部１５は、パターン１１の画像データを含む画像データを用いて以下の処理を行う。
【００６０】
つまり、変倍率算出部１５は、パターン１１に描かれた隣り合う基準模様１１Ａ，１１Ａの副走査方向の間隔（以下、実間隔という）と、画像データで表された隣り合う基準模様１１Ａ，１１Ａの副走査方向の間隔とが等しくなるように、画像データが隣り合う基準模様１１Ａ，１１Ａの副走査方向の間隔を表すライン数づつ区分されて表された画像エリアを副走査方向へ変倍するための画像変倍率を算出する。画像エリアを副走査方向へ変倍するための画像変倍率を算出する手順として、以下の２通りの手順が存在する。
【００６１】
図５は、画像エリアを副走査方向へ変倍するための画像変倍率を算出する手順を説明するための図である。図５（ａ）は、副走査方向へ変倍される前の画像データ、図５（ｂ）は、副走査方向へ変倍されたとした場合の画像データ、をそれぞれ示している。
【００６２】
［副走査方向へ変倍するための画像変倍率の算出手順（１）］
以下の処理は、制御部１０の画像変倍率設定機能により行われる。また、パターン１１に描かれた隣り合う基準模様１１Ａ，１１Ａの副走査方向の実間隔はＸラインとされる。このライン数Ｘは、原稿台２０において隣り合う基準模様１１Ａ，１１Ａの副走査方向の間隔Ｔ１から算出されたライン数である。つまり、変倍率算出部１５が、間隔Ｔ１を、予め設定された１ラインの副走査方向の実寸法で除して得た値が、隣り合う基準模様１１Ａ，１１Ａの実間隔を表すライン数Ｘである。
【００６３】
変倍率算出部１５は、パターン１１の画像データを含む画像データＤが入力された際には、画像データＤにおいて、ライン毎に、単位模様１１Ａの主走査方向（図３においてＸ軸方向）の幅を検出し、前記幅が減少から増加に切り替わるポイントを検出する。このようなポイントが、隣り合う単位模様１１Ａ，１１Ａで形成される谷Ｖである。
【００６４】
そして、変倍率算出部１５は、谷Ｖと、その谷Ｖに隣接する谷Ｖとの間隔、つまり、ライン数をカウントする。このようにカウントしたライン数が、隣り合う単位模様１１Ａ，１１Ａの副走査方向の間隔である。
【００６５】
そして、変倍率算出部１５は、画像データＤを、隣り合う単位模様１１Ａ，１１Ａの副走査方向の間隔を表すライン数づつ区分して複数の画像エリアとする。
【００６６】
具体的には、図５（ａ）に示すように、画像データＤを、隣り合う基準模様１１Ａ，１１Ａの副走査方向の間隔を表すライン数（ライン数ａ、ライン数ｂ・・・）づつ区分して、画像エリア（エリア１、エリア２、・・・）とする。
【００６７】
このような画像エリア（エリア１、エリア２、・・・）は、図６に示すように、画像エリア（エリア１、エリア２、・・・）の各々を構成すべきラインが割り付けられて区分される。例えば、エリア１は「Ｌ〜Ｍライン」までのラインが割り付けられて区分される。エリア２は「（Ｍ＋１）〜Ｎライン」までのラインが割り付けられて区分される。
【００６８】
そして、変倍率算出部１５は、画像エリア（エリア１、エリア２、・・・）毎に、隣り合う基準模様１１Ａ，１１Ａの副走査方向の間隔を表すライン数（ａライン、ｂライン、・・・）と、パターン１１に描かれた隣り合う基準模様１１Ａ，１１Ａの副走査方向の実間隔（Ｘライン）とを対比して、パターン１１に描かれた隣り合う基準模様１１Ａ，１１Ａの副走査方向の実間隔（Ｘライン）と、画像データＤで表された隣り合う基準模様１１Ａ，１１Ａの副走査方向の間隔を表すライン数（ａライン、ｂライン、・・・）とが等しくなるように、画像エリア（エリア１、エリア２、・・・）を副走査方向へ変倍するための画像変倍率を算出する。
【００６９】
具体的には、図５（ａ）に示すように、画像エリア１における副走査方向のライン数がａラインである際には、画像変倍率として、Ｘ／ａが算出される。また、画像エリア２における副走査方向のライン数がｂラインである際には、画像変倍率として、Ｘ／ｂが算出される。
【００７０】
このような画像変倍率の各々に従って、画像エリア１、画像エリア２のそれぞれを副走査方向へ変倍すれば、図５（ｂ）に示すような画像データＤ１が得られる。画像データＤ１において、隣り合う単位模様１１Ａ，１１Ａの副走査方向の間隔を表すライン数は、画像エリア１、画像エリア２のいずれにおいても、Ｘラインである。
【００７１】
このようにして算出された画像変倍率は、画像エリア（エリア１、エリア２、・・・）毎に、変倍率記憶部１６に記憶される。
【００７２】
［副走査方向へ変倍するための画像変倍率の算出手順（２）］
以下の処理は、制御部１０の走査速度変倍率設定機能により行われる。パターン１１に描かれた隣り合う基準模様１１Ａ，１１Ａの副走査方向の実間隔はＸラインとされる。このライン数Ｘは、原稿台２０において隣り合う基準模様１１Ａ，１１Ａの副走査方向の間隔Ｔ１から算出されたライン数である。つまり、変倍率算出部１５が、間隔Ｔ１を、予め設定された１ラインの副走査方向の実寸法で除して得た値が、隣り合う基準模様１１Ａ，１１Ａの実間隔を表すライン数Ｘである。
【００７３】
変倍率算出部１５は、パターン１１の画像データを含む画像データＤが入力された際には、画像データＤにおいて、ライン毎に、単位模様１１Ａの主走査方向（図５においてＸ軸方向）の幅を検出し、前記幅が減少から増加に切り替わるポイントを検出する。このようなポイントが、隣り合う単位模様１１Ａ，１１Ａで形成される谷Ｖである。
【００７４】
そして、変倍率算出部１５は、谷Ｖと、その谷Ｖに隣接する谷Ｖとの間隔、つまり、ライン数をカウントする。このようにカウントしたライン数が、隣り合う単位模様１１Ａ，１１Ａの副走査方向の間隔である。
【００７５】
そして、変倍率算出部１５は、画像データＤを、隣り合う単位模様１１Ａ，１１Ａの副走査方向の間隔を表すライン数づつ区分して複数の画像エリアとする。
【００７６】
具体的には、図５（ａ）に示すように、画像データＤを、隣り合う基準模様１１Ａ，１１Ａの副走査方向の間隔を表すライン数（ライン数ａ、ライン数ｂ・・・）づつ区分して、画像エリア（エリア１、エリア２、・・・）とする。
【００７７】
このような画像エリア（エリア１、エリア２、・・・）は、図６に示すように、画像エリア（エリア１、エリア２、・・・）の各々を構成すべきラインが割り付けられて区分される。例えば、エリア１は「Ｌ〜Ｍライン」までのラインが割り付けられて区分される。エリア２は「（Ｍ＋１）〜Ｎライン」までのラインが割り付けられて区分される。
【００７８】
そして、変倍率算出部１５は、画像エリア（エリア１、エリア２、・・・）毎に、隣り合う基準模様１１Ａ，１１Ａの副走査方向の間隔を表すライン数（ａライン、ｂライン、・・・）と、パターン１１に描かれた隣り合う基準模様１１Ａ，１１Ａの副走査方向の実間隔（Ｘライン）とを対比して、パターン１１に描かれた隣り合う基準模様１１Ａ，１１Ａの副走査方向の実間隔（Ｘライン）と、画像データＤで表された隣り合う基準模様１１Ａ，１１Ａの副走査方向の間隔を表すライン数（ａライン、ｂライン、・・・）とが等しくなるように、画像エリア（エリア１、エリア２、・・・）を副走査方向へ変倍するための走査速度変倍率を算出する。
【００７９】
ここに、副走査方法の走査速度は、ＣＣＤ１２が副走査方向へ移動して、原稿台を副走査方向へ走査する速度のことをいう。このような走査速度は、モータ１８へ供給される駆動周波数により一義的に決まる。
【００８０】
具体的には、図５（ａ）に示すように、画像エリア１における副走査方向のライン数がａラインである際には、走査速度変倍率として、ａ／Ｘが算出される。また、画像エリア２における副走査方向のライン数がｂラインである際には、走査速度変倍率として、ｂ／Ｘが算出される。
【００８１】
このような走査速度変倍率の各々に従って、画像エリア１、画像エリア２のそれぞれを走査部５３を走査させる際に走査速度を変倍すれば、図５（ｂ）に示すような画像データＤ１が得られる。画像データＤ１において、隣り合う単位模様１１Ａ，１１Ａの副走査方向の間隔を表すライン数は、画像エリア１、画像エリア２ともに、Ｘラインである。
【００８２】
このようにして算出された走査速度変倍率は、画像エリア（エリア１、エリア２、・・・）毎に、変倍率記憶部１６に記憶される。
【００８３】
尚、隣り合う三角形の頂点Ｐと、隣接する頂点Ｐとの間隔や、三角形の頂点Ｐとこの頂点Ｐの直近の谷Ｖとの間隔、が、前記「一定の間隔Ｔ１」とされてもよい。特に、一定の間隔Ｔ１が、三角形の頂点Ｐとこの頂点Ａの直近の谷Ｖとの間隔とされた際には、画像エリア（エリア１、エリア２、・・・）の数が増加するので、副走査方向の等倍度がきめ細かに調整される。
【００８４】
図６は、変倍率記憶部１６における画像変倍率及び走査速度変倍率の記憶態様を説明するための図である。図６（ａ）は、［画像変倍率の算出手順（１）］により算出された画像変倍率の記憶態様の一例を示す図である。図６（ｂ）は、［画像変倍率の算出手順（２）］により算出された走査速度変倍率の記憶態様の一例を示す図である。
【００８５】
図６（ａ）に示す変倍率記憶部１６において、画像エリア（エリア１、エリア２、・・・）毎に、画像変倍率（ここでは「副走査方向への変倍率」とされている）が記憶されている。具体的には、画像エリア１「１〜Ｍライン」に応じて画像変倍率「Ｘ／ａ」が記憶されている。また、画像エリア２「（Ｍ＋１）〜Ｎライン」に応じて画像変倍率「Ｘ／ｂ」が記憶されている。
【００８６】
一方、図６（ｂ）に示す変倍率記憶部１６において、画像エリア（エリア１、エリア２、・・・）毎に、走査速度変倍率（ここでは「走査速度の変倍率」とされている）が記憶されている。具体的には、画像エリア１「１〜Ｍライン」に応じて走査速度変倍率「ａ／Ｘ」、画像エリア２「（Ｍ＋１）〜Ｎライン」に応じて走査速度変倍率「ｂ／Ｘ」が記憶されている。
【００８７】
このように、変倍率記憶部１６に記憶された画像変倍率（図６（ａ）参照）、及び、変倍率記憶部１６に記憶された走査速度変倍率（図６（ｂ）参照）は、以下に例示される副走査方向の等倍度調整が行われる際に使用される。このような副走査方向の等倍度調整として、以下の２通りの等倍度調整がある。
【００８８】
［副走査方向の等倍度調整（１）］
以下の処理は、制御部１０の画像データ変倍機能により行われる。
【００８９】
画像処理部１４は、ＣＣＤ１２により原稿の画像データが生成された際には、生成された原稿の画像データの入力を受け付ける。
【００９０】
ここで、受け付けた原稿の画像データには、パターン１１の画像データが含まれている。パターン１１にも光源１９から光束が照射され、パターン１１に反射した発生した反射光束がＣＣＤ１２に受光されるからである。したがって、画像処理部１４は、受け付けた原稿の画像データから、原稿台２０の一対の縁側２０Ｃ，２０Ｃに相当する画素を取り除く。これにより、原稿のみの画像データが取得される。
【００９１】
このように、原稿のみの画像データが取得された際には、画像処理部１４は、図６（ａ）に示す変倍率記憶部１６から、画像エリア（エリア１、エリア２、・・・）毎の画像変倍率を読み出す。そして、原稿のみの画像データを、画像エリア（エリア１、エリア２、・・・）毎に、その画像エリア（エリア１、エリア２、・・・）に対応する画像変倍率に従って変倍する。
【００９２】
具体的には、画像データのうち、画像エリア１に対して副走査方向へＸ／ａ倍する。画像エリア２に対して副走査方向へＸ／ｂ倍する。このような等倍度調整により副走査方向の等倍度が向上する。
【００９３】
［副走査方向の等倍度調整（２）］
以下の処理は、制御部１０の走査速度変倍機能により行われる。
【００９４】
制御部１０は、モータ１８により走査部５３を副走査方向へ移動させる際には、図４（ｂ）に示す変倍率記憶部１６から、原稿エリア（エリア１、エリア２、・・・）毎の走査速度変倍率を読み出す。そして、走査部５３の走査速度を、原稿エリア（エリア１、エリア２、・・・）毎に対応する走査速度変倍率に従って変倍させながら、原稿台２０を走査する。
【００９５】
具体的には、画像エリア１に対して走査速度をａ／Ｘ倍する。画像エリア２に対して走査速度をｂ／Ｘ倍する。このような等倍度調整により副走査方向の等倍度が向上する。
【００９６】
ところが、このように走査部５３により原稿台２０を走査させると、得られる画像データには、パターン１１の画像データが含まれている。パターン１１にも光源１９から光束が照射され、パターン１１に反射して発生した反射光束がＣＣＤ１２に受光されるからである。したがって、画像処理部１４が、ＣＣＤ１２による走査の結果得られた画像データから、原稿台２０の一対の縁側２０Ｃ，２０Ｃに相当する画素を取り除く。これにより、原稿のみの画像データが取得される。
【００９７】
図７は、本発明の一実施形態に係る等倍度調整方法の一例を示すフローチャートである。この等倍度調整方法によれば、副走査方向の等倍度を調整することができる。このような等倍度調整方法は、以下の２通りの方法がある。
【００９８】
［等倍度調整方法１］
画像読取装置１において、電源が投入された際には（ステップＳ１；ＹＥＳ）、ＣＣＤ１２がパターン１１の画像データを含む画像データを生成する（ステップＳ２；パターン読取ステップ）。
【００９９】
次に、以下の変倍率算出ステップ及び変倍率記憶ステップが、制御部１０が有する画像変倍率設定機能により行われた後、以下の等倍度調整ステップが、制御部１０が有する画像データ変倍機能により行われる。
【０１００】
つまり、変倍率算出部１５が、画像エリア（エリア１、エリア２、・・・）毎に、パターン１１に描かれた隣り合う基準模様１１Ａ，１１Ａの副走査方向の間隔と、画像データで表された隣り合う基準模様１１Ａ，１１Ａの副走査方向の間隔とが等しくなる画像変倍率を順次算出する（ステップＳ３；変倍率算出ステップ）。
【０１０１】
次に、変倍率記憶部１６が、画像エリア（エリア１、エリア２、・・・）毎に順次算出された画像変倍率を順次記憶する（ステップＳ４；変倍率記憶ステップ）。
【０１０２】
次に、制御部１０が、原稿の画像データが生成された際には（ステップＳ５；ＹＥＳ）、画像処理部１４に対して、原稿の画像データを、画像エリア（エリア１、エリア２、・・・）毎にその画像エリア（エリア１、エリア２、・・・）に対応して変倍率記憶部１６へ記憶されている画像変倍率に従って副走査方向へ変倍させる（ステップＳ６）。このようなステップＳ５及びＳ６に示す処理は、等倍度調整ステップと呼ばれる。
【０１０３】
［等倍度調整方法２］
画像読取装置１において、電源が投入された際には（ステップＳ１；ＹＥＳ）、ＣＣＤ１２がパターン１１の画像データを含む画像データを生成する（ステップＳ２；パターン読取ステップ）。
【０１０４】
次に、以下の変倍率算出ステップ及び変倍率記憶ステップが、制御部１０が有する走査速度変倍率設定機能により行われた後、以下の等倍度調整ステップが、制御部１０が有する走査速度変倍機能により行われる。
【０１０５】
つまり、変倍率算出部１５が、原稿エリア（エリア１、エリア２、・・・）毎に、パターン１１に描かれた隣り合う基準画像１１Ａ，１１Ａの副走査方向の間隔と、画像データで表された隣り合う基準模様１１Ａ，１１Ａの副走査方向の間隔とが等しくなる走査速度変倍率を算出する（ステップＳ３；変倍率算出ステップ）。
【０１０６】
次に、変倍率記憶部１６が、変倍率算出部１５が変倍率算出ステップで算出した走査方向変倍率を、原稿エリア（エリア１、エリア２、・・・）毎に順次記憶する（ステップＳ４；変倍率記憶ステップ）。
【０１０７】
次に、制御部１０が、モータ１８により走査部５３を副走査方向へ移動させる際には（ステップＳ５）、原稿エリア（エリア１、エリア２、・・・）毎に、走査部５３の移動速度を、原稿エリア（エリア１、エリア２、・・・）毎に対応して変倍率記憶部１６へ記憶されている走査速度変倍率に従って変倍させる（ステップＳ６）。このようなステップＳ５及びＳ６に示す処理は、等倍度調整ステップと呼ばれる。
【０１０８】
尚、画像読取装置１は、図８に示すように、基準画像として主走査方向（図８においてＸ軸方向）を向いた直線状の模様１１Ｂが等間隔で描かれたパターン１１を用いても、先述した副走査方向の等倍度調整を行うことができる。直線状の模様１１Ｂの各々を検出して、隣り合う直線状の模様１１Ｂ，１１Ｂの副走査方向の間隔が判るからである。
【０１０９】
また、直線状の模様１１Ｂのエッジ部分（白から黒に変わるポイント又は黒から白に変わるポイントが検出されて、隣り合うエッジ部分の間隔が、隣り合う模様１１Ｂの副走査方向の間隔とされてもよい。但し、直線状の模様１１Ｂよりも三角形の模様１１Ａを用いた方が、原稿台２０についたゴミを模様１１Ｂとして誤検出することがなくなる。
【０１１０】
また、その他の模様が使用されてもよい。つまり、白画像との濃度差が明確で、且つ、副走査方向へ等間隔で描かれた模様が使用される。
【０１１１】
図９は、原稿が載置される原稿台の構成の他の例を示す図である。図９において、原稿台２０の裏側には、副走査方向（図９においてＹ軸方向）へ複数の基準模様１１Ａの各々が描かれた一対のパターン１１，１１が存在する。
【０１１２】
このようなパターン１１は、原稿が載置される原稿載置領域２０Ｂ以外であって、且つ、光源１９から光束が照射される領域であって、原稿載置領域２０Ｂを挟んで主走査方向（図７においてＸ軸方向）に離間した一対の領域、つまり、原稿台２０のうち、原稿載置領域２０Ｂより縁側に存在する一対の縁側２０Ｃ，２０Ｃに存在する。
【０１１３】
また、一対のパターン１１，１１において、複数の基準模様１１Ａの各々は三角形の模様である。このような複数の三角形の模様が副走査方向（図９においてＹ軸方向）へ連続して描かれている。また、複数の三角形の模様の各々の頂点Ｐが、原稿台２０の主走査方向の一対の端部２０Ａ，２０Ａのうち、直近の端部２０Ａの方向を向いている。
【０１１４】
このような画像読取装置１において、主走査方向の等倍度の調整処理が、一対のパターン１１，１１の画像データを含む画像データを用いて行われる。以下に示す主走査方向の等倍度の調整処理は、制御部１０による制御の下で行われる。
【０１１５】
［主走査方向の等倍度の調整処理］
一対のパターン１１，１１の画像データを含む画像データは、変倍率算出部１５へ入力される。変倍率算出部１５は、一対のパターン１１，１１の画像データを含む画像データを用いて以下の処理を行う。
【０１１６】
つまり、変倍率算出部１５は、一対のパターン１１，１１に描かれた主走査方向に対向する２つの基準模様１１Ａ，１１Ａの主走査方向の間隔（以下、実間隔という）と、画像データで表された対向する２つの基準模様１１Ａ，１１Ａの主走査方向の間隔とが等しくなるように、画像データで表された対向する２つの基準模様１１Ａ，１１Ａで挟まれたラインを主走査方向へ変倍するための画像変倍率を算出する。
【０１１７】
ここに、一対のパターン１１，１１に描かれた主走査方向に対向する２つの基準模様１１Ａ，１１Ａの主走査方向の間隔は、副走査方向に隣り合う基準画像１１Ａ，１１Ａを表す２つの三角形が形成する谷Ｖと、当該谷Ｖと主走査方向に対向する谷Ｖと、の間隔である。
【０１１８】
ライン（ラインＡ、ラインＢ、ラインＣ、・・・）を主走査方向へ変倍するための画像変倍率の算出手順は、以下の通りである。
【０１１９】
図１０は、ラインを主走査方向へ変倍するための画像変倍率を算出する手順を説明するための図である。図１０（ａ）は、主走査方向へ変倍される前の画像データ、図１０（ｂ）は、主走査方向へ変倍されたとした場合の画像データ、をそれぞれ示している。
【０１２０】
［主走査方向へ変倍するための画像変倍率の算出手順］
以下に示す処理は、制御部１０の画像変倍率設定機能により行われる。また、パターン１１に描かれた主走査方向に対向する２つの基準模様１１Ａ，１１Ａの主走査方向の実間隔はＹ個の画素数である。この画素数Ｙは、原稿載置領域２０Ｂの主走査方向の間隔Ｔ２から算出された画素数である。つまり、変倍率算出部１５が、間隔Ｔ２を、予め設定された１画素の実寸法で除して得た値が、主走査方向に対向する２つの基準模様１１Ａ，１１Ａの主走査方向の実間隔を示す画素数Ｙである。
【０１２１】
変倍率算出部１５は、一対のパターン１１，１１の画像データを含む画像データＤが入力された際には、ライン毎に、単位模様１１Ａの濃度値が、黒から白に変わるポイントを検出する。このようなポイントが、副走査方向（図１０においてＹ軸方向）に隣り合う単位模様１１Ａ，１１Ａで形成される谷Ｖである。
【０１２２】
そして、変倍率算出部１５は、画像データＤにおいて検出された谷Ｖと、その谷Ｖに主走査方向（図１０においてＸ軸方向）に対向する谷Ｖとで挟まれたライン（ラインＡ、ラインＢ、ラインＣ、・・・）毎に、主走査方向に対向する２つの基準模様１１Ａ，１１Ａの主走査方向の間隔と、画像データで表された対向する２つの基準模様１１Ａ，１１Ａの主走査方向の間隔とが等しくなる画像変倍率を算出する。
【０１２３】
具体的には、図１０に示すように、ラインＡにおける主走査方向の画素数がａである際には、画像変倍率として、Ｙ／ａが算出される。また、ラインＢにおける主走査方向の画素数がｂである際には、画像変倍率として、Ｙ／ｂが算出される。また、ラインＣにおける主走査方向の画素数がｃである際には、画像変倍率として、Ｙ／ｃが算出される。
【０１２４】
このような画像変倍率の各々に従って、ラインＡ、ラインＢ、ラインＣのそれぞれを主走査方向へ変倍すれば、図１０（ｂ）に示すような画像データＤ１が得られる。画像データＤ１において、対向する２つの単位模様１１Ａ，１１Ａの主走査方向の間隔を表す画素数は、ラインＡ、ラインＢ、ラインＤのいずれにおいても、Ｙ画素である。
【０１２５】
このようにして算出された画像変倍率は、ライン（ラインＡ、ラインＢ、ラインＣ、・・・）毎に、変倍率記憶部１６に記憶される。
【０１２６】
図１１は、変倍率記憶部１６における画像変倍率の記憶態様を説明するための図である。図１１に示す変倍率記憶部１６において、ライン（ラインＡ、ラインＢ、ラインＣ、・・・）毎に、画像変倍率（ここでは「主走査方向への変倍率」とされている）が記憶されている。具体的には、ラインＡに応じて画像変倍率「Ｙ／ａ」が記憶されている。また、ラインＢに応じて画像変倍率「Ｙ／ｂ」が記憶されている。また、ラインＣに応じて画像変倍率「Ｙ／ｃ」が記憶されている。
【０１２７】
このように、変倍率記憶部１６に記憶された画像変倍率は、以下に例示される主走査方向の等倍度調整が行われる際に使用される。このような主走査方向の等倍度調整として、以下の等倍度調整がある。
【０１２８】
［主走査方向の等倍度調整］
以下の処理は、制御部１０の画像データ変倍機能により行われる。
【０１２９】
画像処理部１４は、ＣＣＤ１２により原稿の画像データが生成された際には、生成された原稿の画像データの入力を受け付ける。
【０１３０】
ここで、受け付けた原稿の画像データには、パターン１１の画像データが含まれている。パターン１１にも光源１９から光束が照射され、パターン１１に反射して発生した反射光束がＣＣＤ１２に受光されるからである。したがって、画像処理部１４は、受け付けた原稿の画像データから、原稿台２０の一対の縁側２０Ｃ，２０Ｃに相当する画素を取り除く。これにより、原稿のみの画像データが取得される。
【０１３１】
このように、原稿のみの画像データが取得されれば、画像処理部１４は、図９に示す変倍率記憶部１６から、ライン（ラインＡ、ラインＢ、ラインＣ、・・・）毎の画像変倍率を読み出す。そして、画像のみの画像データを、ライン（ラインＡ、ラインＢ、ラインＣ、・・・）毎に、そのライン（ラインＡ、ラインＢ、ラインＣ、・・・）に対応する画像変倍率に従って変倍する。
【０１３２】
具体的には、画像データのうち、ラインＡに対して主走査方向へＹ／ａ倍する。ラインＢに対して主走査方向へＹ／ｂ倍する。ラインＣに対して主走査方向へＹ／ｃ倍する。このような等倍度調整により主走査方向の等倍度が向上する。
【０１３３】
図１２は、本発明の一実施形態に係る等倍度調整方法の他の例を示すフローチャートである。この等倍度調整方法によれば、主走査方向の等倍度を調整することができる。
【０１３４】
画像読取装置１において、電源が投入された際には（ステップＳ１１；ＹＥＳ）、ＣＣＤ１２がパターン１１の画像データを生成する（ステップＳ１２；パターン読取ステップ）。
【０１３５】
次に、以下の変倍率算出ステップ及び変倍率記憶ステップが、制御部１０が有する画像変倍率設定機能により行われた後、以下の等倍度調整ステップが、制御部１０が有する画像データ変倍機能により行われる。
【０１３６】
つまり、変倍率算出部１５が、ライン（ラインＡ、ラインＢ、ラインＣ、・・・）毎に、一対のパターン１１，１１に描かれた主走査方向に対向する２つの基準模様１１Ａ，１１Ａの主走査方向の間隔と、画像データで表された対向する２つの基準模様１１Ａ，１１Ａの主走査方向の間隔とが等しくなる画像変倍率を順次算出する（ステップＳ１３；変倍率算出ステップ）。
【０１３７】
次に、変倍率記憶部１６が、ライン（ラインＡ、ラインＢ、ラインＣ、・・・）毎に順次算出された画像変倍率を順次記憶する（ステップＳ１４；変倍率記憶ステップ）。
【０１３８】
次に、制御部１０が、原稿の画像データが生成された際には（ステップＳ１５；ＹＥＳ）、画像処理部１４に対して、原稿の画像データを、ライン（ラインＡ、ラインＢ、ラインＣ、・・・）毎にそのライン（ラインＡ、ラインＢ、ラインＣ、・・・）に対応して変倍率記憶部１６へ記憶されている画像変倍率に従って主走査方向へ変倍させる（ステップＳ１６）。このようなステップＳ１５及びＳ１６に示す処理は、等倍度調整ステップと呼ばれる。
【０１３９】
尚、画像読取装置１は、図１１に示すように、基準画像として直線状の模様１１Ｂが描かれた一対のパターン１１，１１を用いても、先述した主走査方向の等倍度調整を行うことができる。直線状の模様１１Ｂの各々を検出して、主走査方向に対向する２つの模様１１Ｂ，１１Ｂの主走査方向の間隔が判るからである。
【０１４０】
また、直線状の模様１１Ｂのエッジ部分（白から黒に変わるポイント、又は、黒から白に変わるポイント）が検出されて、主走査方向に対向するエッジ部分の間隔が、主走査方向に対向する２つの模様１１Ｂ，１１Ｂの主走査方向の間隔とされてもよい。但し、直線状の模様１１Ｂよりも三角形の模様１１Ａを用いた方が、原稿台２０についたゴミを模様１１Ｂとして誤検出することがなくなる。
【０１４１】
また、その他の模様が使用されてもよい。つまり、白画像との濃度差が明確で、且つ、主走査方向を向いて描かれた模様が使用される。
【０１４２】
このように、本発明の一実施形態に係る画像読取装置１は、制御部１０による制御により、先述したような副走査方向及び主走査方向の等倍度を調整することができるため、製造時や出荷時において機械的な精度を調整する作業が不要であり、低コストで等倍度を調整することができる。
【図面の簡単な説明】
【０１４３】
【図１】本発明の一実施形態に係る画像読取装置の機能構成の一例を示す図である。
【図２】本発明の一実施形態に係る画像読取装置を組み込んだ複写機の機械的構成を示す縦断面図である。
【図３】スキャナ部を上面から見た外観の一例を示す斜視図である。
【図４】原稿台の構成の一例を示す図である。
【図５】画像エリアを副走査方向へ変倍するための画像変倍率を算出する手順を説明するための図である。
【図６】変倍率記憶部における画像変倍率及び走査速度変倍率の記憶態様を説明するための図である。
【図７】本発明の一実施形態に係る等倍度調整方法の一例を示すフローチャートである。
【図８】パターンの構成の他の例を示す図である。
【図９】原稿台の構成の他の例を示す図である。
【図１０】ラインを主走査方向へ変倍するための画像変倍率を算出する手順を説明するための図である。
【図１１】変倍率記憶部における画像変倍率の記憶態様を説明するための図である。
【図１２】本発明の一実施形態に係る等倍度調整方法の他の例を示すフローチャートである。
【図１３】一対のパターンの構成の他の例を示す図である。
【符号の説明】
【０１４４】
１    画像読取装置
１０  制御部
１１  パターン
１１Ａ，１１Ｂ  基準模様
１２  ＣＣＤ
１４  画像処理部
１５  変倍率算出部
１６  変倍率記憶部
２０  原稿台
２０Ａ  端部
２０Ｂ  原稿載置領域
５３  走査部
５４  ミラーユニット
５５  結像レンズ
Ｐ    頂点
Ｖ    谷
【図１】
2010148061.tif 000003
【図２】
2010148061.tif 000004
【図３】
2010148061.tif 000005
【図４】
2010148061.tif 000006
【図５】
2010148061.tif 000007
【図６】
2010148061.tif 000008
【図７】
2010148061.tif 000009
【図８】
2010148061.tif 000010
【図９】
2010148061.tif 000011
【図１０】
2010148061.tif 000012
【図１１】
2010148061.tif 000013
【図１２】
2010148061.tif 000014
【図１３】
2010148061.tif 000015